(57)【要約】      （修正有）【課題】取り付け可能な電柱径の範囲が広く、１種類の電柱用バンドで様々な径の電柱に取り付けることができる電柱用バンドおよび柱上設備固定部材を提供する。【解決手段】固定部材１１が、フレーム状を成し、固定用ボルト３ａおよび固定用ナット３ｂで柱上電気設備を固定可能である。同一形状の１対の固定用バンド３１が、一端に固定部材１１を固定するための固定部３１ａを有し、他端側に複数の固定側取付部を有している。同一形状の１対の締付用バンド３２が、一端側に長さ方向に沿って複数の締付側取付部３２ａを有し、締付側取付部３２ａのいずれかを固定側取付部のいずれかに合わせて固定して各固定用バンド３１に連結可能である。締付部材３３が、各締付用バンド３２の他端を、その間隔を調節して結合可能である。落下防止部材１３が、柱上電気設備と係合して固定用ボルトを支持可能である。【選択図】図１
0003189282.tif 000002
【実用新案登録請求の範囲】
【請求項１】
電柱に柱上電気設備を固定する固定部材を電柱に取り付けるための電柱用バンドであって、
同一形状の１対の固定用バンドと同一形状の１対の締付用バンドと締付部材とを有し、
各固定用バンドは、一端に前記固定部材を固定するための固定部を有し、他端側に複数の固定側取付部を有し、
各締付用バンドは、一端側に長さ方向に沿って複数の締付側取付部を有し、前記締付側取付部のいずれかを前記固定側取付部のいずれかに合わせて固定して各固定用バンドに連結可能に設けられ、
前記締付部材は、各締付用バンドの他端を、その間隔を調節して結合可能に設けられていることを
特徴とする電柱用バンド。
【請求項２】
各固定側取付部は、各固定用バンドの長さ方向に沿って第１の間隔をあけて設けられ、
各締付用取付部は、各締付用バンドの長さ方向に沿って前記第１の間隔とは異なる第２の間隔をあけて設けられていることを
特徴とする請求項１記載の電柱用バンド。
【請求項３】
請求項１または２記載の電柱用バンドと、電柱に柱上電気設備を固定する固定部材とを有し、
前記固定部材は、横材と縦材とをフレーム状に組み合わせて成り、各固定用バンドの前記固定部に固定されていることを
特徴とする柱上設備固定部材。
【請求項４】
前記固定部材は、固定用ボルトおよび固定用ナットで前記柱上電気設備を固定可能に設けられ、
前記柱上電気設備は、前記固定用ボルトを取り付けるためのボルト固定部を有し、
前記ボルト固定部と前記固定部材とを上側から挟んだ状態で、前記固定用ボルトおよび前記固定用ナットで前記ボルト固定部と共に前記固定部材に固定可能な落下防止部材を有することを
特徴とする請求項３記載の柱上設備固定部材。
【請求項５】
前記縦材は長さ方向に沿って設けられたスライド孔を有し、
前記柱上電気設備は、前記ボルト固定部にボルト孔を有し、前記固定用ボルトを前記ボルト孔から前記スライド孔に挿入され、前記固定用ボルトに前記固定用ナットを締め付けられて前記縦材に固定可能に設けられ、
前記落下防止部材は一体的に設けられた支持部と係合部とを有し、前記支持部は支持孔を有し、前記係合部は前記スライド孔に挿入可能であり、前記係合部を前記ボルト固定部に係合させて前記係合部と前記支持部との間に前記ボルト固定部と前記縦材とを挟んだ状態で、前記ボルト孔と前記スライド孔と前記支持孔とを貫通した前記固定用ボルトに前記固定用ナットが締め付けられて、前記支持部は前記縦材と前記固定用ナットとの間で固定されていることを
特徴とする請求項４記載の柱上設備固定部材。
【請求項６】
請求項１または２記載の電柱用バンドと、電柱に柱上電気設備を固定する固定部材とを有し、
前記固定部材は、各固定用バンドの前記固定部に固定されて、前記電柱から水平方向に伸びるよう取り付けられるアーム部材から成ることを
特徴とする柱上設備固定部材。
【考案の詳細な説明】
【技術分野】
【０００１】
本考案は、電柱用バンドおよび柱上設備固定部材に関する。
【背景技術】
【０００２】
従来、変圧器やＰＣＳ（高圧カットアウト）などの柱上電気設備を電柱に固定するための電柱用バンドとして、縦向ピンを中心に開閉可能に接続した１組の円弧形帯板の一方に柱上電気設備用の取付金具を外側に設け、これらの帯板の対向側上下部に上下フランジを形成し、一方の上下フランジに契合されたハンマー形ボルトにより、各上下フランジを結合して締付可能に構成されたものがある（例えば、特許文献１参照）。
【０００３】
また、図５に示すように、一端が柱上電気設備を固定するための固定部材１１０に取り付けられ、長さ方向に間隔をあけて設けられた複数の係合孔を有するバンド本体１０１と、バンド本体１０１のいずれかの係合孔に取り付けられた第１留め具１０２と、一端が固定部材１１０に取り付けられた第２留め具１０３と、第１留め具１０２と第２留め具１０３とをその間隔を調節して結合可能に設けられた長尺のボルトとナットとから成る締付部材１０４とを有し、第１留め具１０２の取付位置を移動させることにより径を調整して電柱１に取付可能な電柱用バンド１００が本発明者等により開発されている。
【先行技術文献】
【特許文献】
【０００４】
【特許文献１】特開２００１−９４２７７号公報
【考案の概要】
【考案が解決しようとする課題】
【０００５】
しかしながら、特許文献１に記載の電柱用バンドは、縦向ピンの位置を変えることにより内径を調節して電柱に取り付けるものであり、取り付け可能な電柱径の範囲が狭く、取り付けることができる電柱が限られてしまうという課題があった。
【０００６】
また、本発明者等により開発された図５に示す電柱用バンド１００も、取り付け可能な電柱径の範囲が狭く、取り付けることができる電柱１が限られてしまうという課題があった。この電柱用バンド１００では、バンド本体１０１の長さを長くすることにより取付可能な電柱径の範囲を拡げることが可能であるが、バンド本体１０１が長くなると取り扱いにくくなることや、小さい径の電柱１に取り付けたときにバンド本体１０１の第１留め具１０２からはみ出す部分が長くなり、その始末が難しいことなどから実用的ではない。また、締付部材１０４のボルトを長くすることによっても取付可能な電柱径の範囲を拡げることが可能であるが、取付強度が低下するため、電柱用バンド１００の性能を発揮できなくなってしまう。このため、現状では、取り付け可能な電柱径の範囲が異なる２種類の電柱用バンド１００を用意しておき、この２種類の電柱用バンド１００を電柱１の径によって使い分けることにより、様々な径の電柱１に対応している。
【０００７】
本考案は、このような課題に着目してなされたもので、取り付け可能な電柱径の範囲が広く、１種類の電柱用バンドで様々な径の電柱に取り付けることができる電柱用バンドを提供することを目的とする。
【０００８】
また、従来の柱上設備固定部材は、電柱用バンドに取り付けられた固定部材に柱上電気設備を引っ掛けるとともに、下方から固定用のボルトを取り付けて支えることにより、様々な大きさの柱上電気設備を取り付けていた。しかし、風や地震などによる振動により柱上電気設備が振動すると、その振動により固定用のボルトが緩んで落下し、柱上電気設備まで落下するおそれがあった。そこで、本考案は、固定用のボルトの落下を防ぎ、柱上電気設備の落下を防止することができる柱上設備固定部材を提供することもその目的とする。
【課題を解決するための手段】
【０００９】
上記目的を達成するために、本考案に係る電柱用バンドは、電柱に柱上電気設備を固定する固定部材を電柱に取り付けるための電柱用バンドであって、同一形状の１対の固定用バンドと同一形状の１対の締付用バンドと締付部材とを有し、各固定用バンドは、一端に前記固定部材を固定するための固定部を有し、他端側に複数の固定側取付部を有し、各締付用バンドは、一端側に長さ方向に沿って複数の締付側取付部を有し、前記締付側取付部のいずれかを前記固定側取付部のいずれかに合わせて固定して各固定用バンドに連結可能に設けられ、前記締付部材は、各締付用バンドの他端を、その間隔を調節して結合可能に設けられていることを特徴とする。
【００１０】
本考案に係る電柱用バンドは、以下のようにして、電柱に取り付けることができる。まず、締付用バンドの複数の締付側取付部のいずれかと固定用バンドの複数の固定側取付部のいずれかを選んで連結する。締付用バンドと固定用バンドを連結した後、固定部材に各固定用バンドの固定部を固定する。次に、連結した各締付用バンドと固定用バンドを電柱に巻き付け、各締付用バンドの他端同士の間隔を狭めるように締付部材で締め付けることにより、電柱にしっかりと固定することができる。
【００１１】
本考案に係る電柱用バンドは、２つの固定用バンドおよび２つの締付用バンドで、環状にしたときの内径を調節することができるため、１箇所で内径を調節する場合に比べて、内径の調節範囲を拡げることができる。また、各固定用バンドの固定側取付部および各締付用バンドの締付側取付部を複数設けることにより、内径を細かく調節できると共に、さらに内径の調節範囲を拡げることができる。このように、本考案に係る電柱用バンドは、取り付け可能な電柱径の範囲が広く、様々な径の電柱に取り付けることができる。このため、様々な径の電柱に対して、これまで２種類のバンドを使用していたものを、１つの本考案に係る電柱用バンドで対応することができ、現場での作業性の向上や材料費の低減を図ることができる。
【００１２】
本考案に係る電柱用バンドで固定する柱上電気設備は、変圧器やＰＣＳ（高圧カットアウト）など、電柱に取り付けられる電気設備であればいかなるものであってもよい。また、締付部材は、各締付用バンドまたは一方の締付用バンドに着脱可能に取り付けられていてもよい。また、本考案に係る電柱用バンドは、固定部材を電柱に取り付けてから柱上電気設備を固定するよう構成されていてもよく、あらかじめ柱上電気設備が固定された固定部材を電柱に固定するよう構成されていてもよい。
【００１３】
本考案に係る電柱用バンドの前記１対の固定用バンドおよび前記１対の締付用バンドは、それぞれ同一形状であるから、固定用バンドと締付用バンドとを組み合わせた１種類の電柱用バンドを用意するだけで、様々な径の電柱に対応することができる。また、本考案に係る電柱用バンドの各固定側取付部は、各固定用バンドの長さ方向に沿って第１の間隔をあけて設けられ、各締付用取付部は、各締付用バンドの長さ方向に沿って前記第１の間隔とは異なる第２の間隔をあけて設けられていることが好ましい。この場合、固定側取付部および締付用取付部のどれを選択するかによる電柱用バンドの内径のバリエーションを増やすことができ、様々な径の電柱に対して、より適切な径で取り付けることができる。このため、電柱径に対する電柱用バンドの内径のずれを小さくすることができ、締付部材にかかる負担を軽減することができる。
【００１４】
第１の本考案に係る柱上設備固定部材は、本発明に係る電柱用バンドと、電柱に柱上電気設備を固定する固定部材とを有し、前記固定部材は、横材と縦材とをフレーム状に組み合わせて成り、各固定用バンドの前記固定部に固定されていることを特徴とする。
【００１５】
第１の本考案に係る柱上設備固定部材は、本考案に係る電柱用バンドを有しているため、取り付け可能な電柱径の範囲が広く、１つで様々な径の電柱に取り付けることができる。第１の本考案に係る柱上設備固定部材は、いかなる柱上電気設備を固定してもよいが、特に変圧器を固定するのに適している。
【００１６】
また、前記固定部材は、固定用ボルトおよび固定用ナットで前記柱上電気設備を固定可能に設けられ、前記柱上電気設備は、前記固定用ボルトを取り付けるためのボルト固定部を有し、前記ボルト固定部と前記固定部材とを上側から挟んだ状態で、前記固定用ボルトおよび前記固定用ナットで前記ボルト固定部と共に前記固定部材に固定可能な落下防止部材を有することが好ましい。
この場合、風や地震などによる振動により柱上電気設備が振動しても、落下防止部材が柱上電気設備のボルト固定部と固定部材とを挟んで固定用ボルトにより固定されるため、固定用ボルトの落下や柱上電気設備の落下を防止することができる。
【００１７】
さらに、前記縦材は長さ方向に沿って設けられたスライド孔を有し、前記柱上電気設備は、前記ボルト固定部にボルト孔を有し、前記固定用ボルトを前記ボルト孔から前記スライド孔に挿入され、前記固定用ボルトに前記固定用ナットを締め付けられて前記縦材に固定可能に設けられ、前記落下防止部材は一体的に設けられた支持部と係合部とを有し、前記支持部は支持孔を有し、前記係合部は前記スライド孔に挿入可能であり、前記係合部を前記ボルト固定部に係合させて前記係合部と前記支持部との間に前記ボルト固定部と前記縦材とを挟んだ状態で、前記ボルト孔と前記スライド孔と前記支持孔とを貫通した前記固定用ボルトに前記固定用ナットが締め付けられて、前記支持部は前記縦材と前記固定用ナットとの間で固定されていてもよい。
【００１８】
このスライド孔を有する場合、ボルト固定部のボルト孔が下に向かって開放されているため、固定用ボルトをスライド孔から外すことなく、スライド孔に沿ってスライドさせてボルト孔に固定することができる。また、固定用ボルトをスライド孔に沿ってスライドさせて、様々な大きさの柱上電気設備を取り付けることができる。また、このとき、風や地震などによる振動により柱上電気設備が振動しても、落下防止部材により固定用ボルトの落下を防ぐことができ、柱上電気設備の落下を防止することができる。
【００１９】
第２の本考案に係る柱上設備固定部材は、本発明に係る電柱用バンドと、電柱に柱上電気設備を固定する固定部材とを有し、前記固定部材は、各固定用バンドの前記固定部に固定されて、前記電柱から水平方向に伸びるよう取り付けられるアーム部材から成ることを特徴とする。
【００２０】
第２の本考案に係る柱上設備固定部材は、本考案に係る電柱用バンドを有しているため、取り付け可能な電柱径の範囲が広く、１つで様々な径の電柱に取り付けることができる。第２の本考案に係る柱上設備固定部材は、いかなる柱上電気設備を固定してもよいが、特にＰＣＳを固定するのに適している。
【考案の効果】
【００２１】
本考案によれば、取り付け可能な電柱径の範囲が広く、１種類の電柱用バンドで様々な径の電柱に取り付けることができる電柱用バンドおよび柱上設備固定部材を提供することができる。
【図面の簡単な説明】
【００２２】
【図１】本考案の実施の形態の電柱用バンドおよび柱上設備固定部材を示す（ａ）平面図、（ｂ）正面図、（ｃ）側面図である。
【図２】図１に示す電柱用バンドの（ａ）固定用バンドの平面図および側面図、（ｂ）締付用バンドの平面図および側面図である。
【図３】図１の落下防止部材の使用状態を示す（ａ）側面図、（ｂ）固定用ボルトおよび固定用ナット取付前の正面図である。
【図４】本考案の実施の形態の電柱用バンドおよび柱上設備固定部材の変形例を示す（ａ）平面図、（ｂ）正面図である。
【図５】従来の電柱用バンドを示す平面図である。
【考案を実施するための形態】
【００２３】
以下、図面に基づき本考案の実施の形態について説明する。
図１乃至図４は、本考案の実施の形態の電柱用バンドおよび柱上設備固定部材を示している。
図１乃至図３に示すように、柱上設備固定部材１０は、柱上電気設備を電柱１に固定するための部材であり、固定部材１１と１対の電柱用バンド１２と落下防止部材１３とを有している。
【００２４】
図１に示すように、固定部材１１は、それぞれ１対の横材２１と１対の縦材２２と接続材２３とを有している。各横材２１は、所定の間隔をあけて互いに平行に配置され、各縦材２２は、それぞれ各横材２１の一端部同士および他端部同士を接続するよう、各横材２１に垂直に取り付けられている。また、接続材２３は、各横材２１の中央部を接続するよう、各横材２１に垂直に取り付けられている。こうして、固定部材１１は、各横材２１、各縦材２２および接続材２３をフレーム状に組み合わせて形成されている。
【００２５】
各縦材２２は、上部に、柱上電気設備を引っ掛けて取り付けるためのフック２４を有している。また、各縦材２２は、中央部から下部にかけて、長さ方向に沿って設けられたスライド孔２５を有している。各横材２１は、接続材２３を挟んで左右２箇所に、ボルト５１を挿入するための挿入孔が設けられた固定用突出部２６を有している。
【００２６】
図１および図２に示すように、各電柱用バンド１２は、１対の固定用バンド３１と１対の締付用バンド３２と締付部材３３とを有している。各固定用バンド３１は、同一形状を成し、所定の長さを有する鉄製の細長い金属板から成り、一端に固定部材１１を固定するための固定部３１ａを有し、他端側に３つの固定側取付部３１ｂを有している。固定部３１ａは、ボルト５１およびナットにより、固定部材１１の固定用突出部２６に固定可能に構成されている。各固定側取付部３１ｂは、各固定用バンド３１の厚みを貫通してボルト５２を挿入可能に設けられた貫通孔から成っており、各固定用バンド３１の長さ方向に沿って第１の間隔をあけて設けられている。
【００２７】
各締付用バンド３２は、同一形状を成し、所定の長さを有する鉄製の細長い金属板から成り、一端側に、長さ方向に沿って所定の間隔で並んだ３つの締付側取付部３２ａを有し、他端に一方の表面側に立ち上がるよう設けられた立上部３２ｂが取り付けられている。各締付側取付部３２ａは、各締付用バンド３２の厚みを貫通してボルト５２を挿入可能に設けられた貫通孔から成っており、各締付用バンド３２の長さ方向に沿って、各固定側取付部３１ｂの第１の間隔とは異なる第２の間隔をあけて設けられている。各締付用バンド３２は、各固定用バンド３１に重ねて３つの締付側取付部３２ａのいずれかを固定用バンド３１の各固定側取付部３１ｂのいずれかに合わせ、そこにボルト５２を通してナットで固定することにより、各固定用バンド３１に連結可能になっている。なお、各固定用バンド３１および各締付用バンド３２の中折れを防止するために、ボルト５２として角根平頭ボルトを用いている。立上部３２ｂは、先端部にボルトを挿入可能に設けられた取付孔３２ｃを有している。
【００２８】
締付部材３３は、角根丸頭ボルト３３ａと締付ナット３３ｂとから成っている。締付部材３３は、立上部３２ｂを対向させて配置された各締付用バンド３２の取付孔３２ｃに角根丸頭ボルト３３ａを挿入し、締付ナット３３ｂを角根丸頭ボルト３３ａの先端に取り付けることにより、各締付用バンド３２を結合している。締付部材３３は、締付ナット３３ｂを締めたり緩めたりすることにより、２つの立上部３２ｂの間隔を調節して結合可能になっている。
【００２９】
各電柱用バンド１２は、締付部材３３で結合された各締付用バンド３２の３つの締付側取付部３２ａのいずれかに、それぞれ各固定用バンド３１の３つの固定側取付部３１ｂのいずれかを取り付けて、一本のバンド状にして使用するようになっている。各電柱用バンド１２は、それぞれ固定部材１１の各横材２１に１つずつ取り付けられている。各電柱用バンド１２は、対応する横材２１の各固定用突出部２６に、それぞれ各固定用バンド３１の固定部３１ａをボルト５１およびナットで固定して環状にすることにより、内側に配置された電柱１に取り付け可能になっている。固定部材１１は、各電柱用バンド１２で電柱１に取り付けられたとき、各横材２１が電柱１に対して横方向に交差し、各縦材２２が電柱１に対して平行に伸びるようになっている。
【００３０】
柱上電気設備は、変圧器から成り、固定部材１１の各縦材２２のフック２４に引っ掛けて取り付け可能になっている。また、図３に示すように、柱上電気設備は、フック２４に引っ掛けて取り付けたとき、縦材２２のスライド孔２５に対向する位置に、スライド孔２５に連通するボルト孔が設けられたボルト固定部２を有している。ボルト固定部２およびボルト孔は、一方の縦材２２にのみ対応するよう１つずつ設けられていてもよく、各縦材２２に対応するよう２つずつ設けられていてもよい。柱上電気設備は、スライド孔２５を利用して、固定用ボルト３ａを下方からボルト孔およびスライド孔２５に挿入し、固定用ボルト３ａで固定用ナット３ｂを締め付けて、固定部材１１の縦材２２に固定可能に設けられている。
【００３１】
図３に示すように、落下防止部材１３は、互いに平行に設けられた支持部４１と係合部４２と、それらを接続する接続部４３とを一体的に有している。支持部４１は、スライド孔２５の幅より大きい幅を有し、固定用ボルト３ａを挿入可能に、一方の側部に向かって開放された支持孔４１ａを有している。係合部４２および接続部４３は、スライド孔２５に挿入可能に、スライド孔２５の幅より若干小さい幅を有している。接続部４３は、支持部４１と係合部４２との間隔が、固定用ボルト３ａおよび固定用ナット３ｂで固定された柱上電気設備のボルト固定部２と固定部材１１の縦材２２とを合わせた厚みよりも、若干大きくなるよう、支持部４１の上縁と係合部４２の上縁とを接続している。
【００３２】
落下防止部材１３は、係合部４２をボルト固定部２に係合させてある。また、係合部４２と支持部４１との間に、ボルト固定部２と縦材２２とを上側から挟んだ状態となっている。この状態で、ボルト固定部２のボルト孔とスライド孔２５と支持孔４１ａとを貫通した固定用ボルト３ａに、支持部４１との間にコ型座金４を挟んで固定用ナット３ｂが締め付けられている。これにより、支持部４１は縦材２２と固定用ナット３ｂとの間で固定され、ボルト固定部２は固定部材１１に固定されている。落下防止部材１３は、固定用ボルト３ａによる固定位置で、固定用ボルト３ａの取付方向に沿って、柱上電気設備のボルト固定部２と固定部材１１とを挟んでそれらを接近した状態に保っている。
【００３３】
次に、作用について説明する。
柱上設備固定部材１０は、以下のようにして、電柱１に取り付けることができる。まず、締付用バンド３２の３つの締付側取付部３２ａのいずれかと固定用バンド３１の３つの固定側取付部３１ｂのいずれかを選んで連結した後、固定部材１１に各固定用バンド３１の固定部３１ａを固定する。次に、連結した各締付用バンド３２と固定用バンド３１を電柱１に巻き付け、各締付用バンド３２の他端同士の間隔を狭めるように締付部材３３で締め付けることにより、電柱１にしっかりと固定することができる。
【００３４】
各電柱用バンド１２および固定部材１１を電柱１に取り付けた後、柱上電気設備を固定部材１１のフック２４に引っ掛け、固定用ボルト３ａおよび固定用ナット３ｂで固定部材１１の縦材２２に固定する。また、落下防止部材１３を、係合部４２と支持部４１との間にボルト固定部２と縦材２２とを挟んだ状態で、縦材２２と固定用ナット３ｂとの間に支持部４１を入れて、支持孔４１ａに固定用ボルト３ａを挿入して固定する。このとき、落下防止部材１３の支持孔４１ａが、支持部４１の一方の側部に向かって開放されているため、柱上電気設備を固定部材１１に固定した後でも、固定用ナット３ｂを緩めて、縦材２２と固定用ナット３ｂとの間に支持部４１を入れて、固定用ボルト３ａに向かって開放部４１ｂから支持孔４１ａを嵌めることができる。再び固定用ナット３ｂを締めることにより、支持孔４１ａに固定用ボルト３ａを挿入して落下防止部材１３を固定することができる。
【００３５】
柱上設備固定部材１０では、電柱用バンド１２が、２つの固定用バンド３１および２つの締付用バンド３２で、環状にしたときの内径を調節することができるため、１箇所で内径を調節する場合に比べて、内径の調節範囲を拡げることができる。また、図２に示すように、締付側取付部３２ａを各締付用バンド３２の広い範囲にわたって３つ設け、固定用バンドにも３つの固定側取付部３１ｂを設けたことにより、内径を細かく調節できると共に、さらに内径の調節範囲を拡げることができる。このように、柱上設備固定部材１０は、電柱用バンド１２で取り付け可能な電柱径の範囲が広く、様々な径の電柱１に取り付けることができる。このため、様々な径の電柱１に対して、これまで２種類のバンドを使用していたものを、１つの電柱用バンド１２で対応することができ、現場での作業性の向上や材料費の低減を図ることができる。図１に示す具体的な一例では、径が１９０ｍｍ〜２８０ｍｍの範囲の電柱１に取り付けることができる。
【００３６】
また、図２に示すように、各固定側取付部３１ｂの間隔と各締付側取付部３２ａの間隔とを異なる間隔にしているため、固定側取付部３１ｂおよび締付用取付部３２ａのどれを選択するかによる電柱用バンド１２の内径のバリエーションを増やすことができ、様々な径の電柱１に対して、より適切な径で取り付けることができる。このため、電柱径に対する電柱用バンド１２の内径のずれを小さくすることができ、締付部材３３にかかる負担を軽減することができる。図２に示す具体的な一例では、各固定側取付部３１ｂの間隔が４５ｍｍ、各締付側取付部３２ａの間隔が３０ｍｍである。
【００３７】
柱上設備固定部材１０は、ボルト固定部２のボルト孔が下に向かって開放されているため、固定用ボルト３ａをスライド孔２５から外すことなく、スライド孔２５に沿ってスライドさせてボルト孔に固定することができる。また、固定用ボルト３ａをスライド孔２５に沿ってスライドさせて、様々な大きさの柱上電気設備を取り付けることができる。また、風や地震などによる振動により、柱上電気設備が振動しても、落下防止部材１３が柱上電気設備のボルト固定部２と固定部材１１とを挟んで固定用ボルト３ａにより固定されるため、固定用ボルト３ａの落下を防ぐことができ、柱上電気設備の落下を防止することができる。また、落下防止部材１３は、柱上電気設備のボルト固定部２と固定部材１１との間隔が所定の間隔以上に広がるのを防ぎ、固定用ボルト３ａがそれ以上緩むのを抑える機能も有する。落下防止部材１３は、新たに柱上電気設備を取り付ける場合だけでなく、既に柱上電気設備が取り付けられている柱上設備固定部材にも取り付けられて、固定用ボルト３ａの落下を防止できる。
【００３８】
なお、図４に示すように、柱上設備固定部材１０は、固定部材１１が、フレーム形状ではなく、電柱用バンド１２の各固定用バンド３１の固定部３１ａに固定されて、電柱１から水平方向に伸びるよう取り付けられるアーム部材６１から成っていてもよい。この場合、柱上電気設備としてＰＣＳをアーム部材６１に取り付けることができる。
【符号の説明】
【００３９】
１  電柱
２  ボルト固定部
３ａ  固定用ボルト
３ｂ  固定用ナット
４  コ型座金
１０  柱上設備固定部材
１１  固定部材
２１  横材
２２  縦材
２３  接続材
２４  フック
２５  スライド孔
２６  固定用突出部
１２  電柱用バンド
３１  固定用バンド
３１ａ  固定部
３１ｂ  固定側取付部
３２  締付用バンド
３２ａ  締付側取付部
３２ｂ  立上部
３２ｃ  取付孔
３３  締付部材
３３ａ  角根丸頭ボルト
３３ｂ  締付ナット
１３  落下防止部材
４１  支持部
４１ａ  支持孔
４１ｂ  開放部
４２  係合部
４３  接続部
５１、５２  ボルト
６１  アーム部材
１００  電柱用バンド
１０１  バンド本体
１０２  第１留め具
１０３  第２留め具
１０４  締付部材
１１０  固定部材
【図１】
0003189282.tif 000003
【図２】
0003189282.tif 000004
【図３】
0003189282.tif 000005
【図４】
0003189282.tif 000006
【図５】
0003189282.tif 000007